(57)【要約】【課題】可動装飾要素を含むことにより、独創的且つ意匠を凝らした宝飾品、特に、リング、ブレスレット、ペンダント、イヤリングを実現する。【解決手段】ほぼ環状体形状の宝飾品は、自身で囲まれた、環状の囲まれた空間（１８）を有し、空間の外壁（１）及び／又は内壁（２）は、少なくとも部分的に透明である。この囲まれた空間（１８）は、内部で自由に移動する装飾要素（１３）を保持する。【選択図】図１
2008043768.tif 000002
【特許請求の範囲】
【請求項１】
外壁（１，２０）及び／又は内壁（２，２１）の少なくとも一部分が透明な、自身で閉じられた環状の囲まれた空間（１８，２４）を有し、この囲まれた空間（１８，２４）は、中で自由に移動できる少なくとも一つの装飾要素（１３）を保持する、
ことを特徴とする宝飾品。
【請求項２】
囲まれた空間の外周壁（１，２０）は、完全に透明である、
請求項１に記載の宝飾品。
【請求項３】
囲まれた空間の内周壁（２，２１）は、透明である、
請求項１又は２に記載の宝飾品。
【請求項４】
囲まれた空間の外周壁（１，２０）及び内周壁（２，２１）は、同心の、円筒または多角形であり、上リング（１４）及び下リング（１５）の二つのリングの間で、ねじ（８）によって固定される、
請求項１から３のいずれか１項に記載の宝飾品。
【請求項５】
リング（１４，１５）は、内壁（２，２１）と外壁（１，２０）の間に延びる内リブを有する、
請求項４に記載の宝飾品。
【請求項６】
上リング（１４）及び下リング（１５）は、外側に、宝飾品の軸端を形成するカバー（１６，１７）を留めることができる、係合構造を有する、
請求項４または５に記載の宝飾品。
【請求項７】
囲まれた空間の内壁（２１）及び外壁（２０）の縁部に接着されまたは溶接された終端部品（２２）を有する、
請求項１から３のいずれか１項に記載の宝飾品。
【請求項８】
一つまたはそれ以上の装飾要素（１３）は、台座に取り付けられた貴石または準貴石で構成される、
請求項１から７のいずれか１項に記載の宝飾品。
【請求項９】
囲まれた空間は、スタッド（７）によっていくつかのセグメントまたは区画に分割される、
請求項４に記載の宝飾品。
【請求項１０】
ねじ（８）は、スタット（７）を貫通する、
請求項４及び請求項９に記載の宝飾品。
【発明の詳細な説明】
【技術分野】
【０００１】
本発明は、リング、ブレスレット、ペンダント、ブローチ、またはイヤリングのような宝飾品に関し、特に、一つまたはそれ以上の可動装飾要素を含む宝飾品に関する。
【背景技術】
【０００２】
本発明は、可動装飾要素を含むことにより、独創的且つ意匠を凝らした宝飾品、特に、リング、ブレスレット、ペンダント、及びイヤリングを実現することを目的とする。
【発明の開示】
【課題を解決するための手段】
【０００３】
本発明による宝飾品は、請求項１に記載される特色によって特徴付けられる。
【発明を実施するための最良の形態】
【０００４】
本発明は、リング、ブレスレット、ペンダント、ブローチ、イヤリング、またはこれに類するもののような宝飾品に関し、特に、ほぼ円環体またはリングの形状の宝飾品に関する。以下でわかるように、宝飾品は、環状の囲まれた空間を表し、外周壁及び／又は内周壁の少なくとも一部分が透明で、少なくとも一つの可動装飾要素が、この囲まれた空間に保持される。
【０００５】
図１及び図２に示す、本発明による宝飾品の第１実施形態では、宝飾品は、ほぼ円環体の形状を有する。宝飾品、ここではリングまたはブレスレットの中央部は、円筒または多角形の、サファイヤのような透明材料で作られた外周壁１と、円筒または多角形の、サファイヤのような透明材料で作られてもよいが、必ずしも透明でなくてもよい、内周壁２と、を有する環状の囲まれた空間で構成される。囲まれた空間の内周壁は、実際には、不透明、または半透明であってもよく、あるいは鏡を形成してもよい。
【０００６】
好ましくは、外壁１および内壁２は、それらが相互に同心の関係で配置されたとき、環状空間が、それらを分離するように、同じ高さを有するが、直径が異なる。
【０００７】
これらの壁、即ち外壁１及び内壁２は、外壁１と内壁２との間に位置する中央リブ５と、外壁１及び内壁２の上縁部及び下縁部に押し付ける支持面６と、を有する上リング３及び下リング４によって共に保持される。図１及び図２に示す例では、スタッド、例えば規則正しく配置された三つのスタッド７が、内壁２と外壁１の間で、且つ上リング３と下リング４の間に位置し、スタッド７には貫通チャンネルが横切っている。
【０００８】
下リング４は、孔９を有し、上リング３は、ねじ孔１０を有する。組み立てられた宝飾品では、下リング４の孔９は、上リング３のねじ孔１０と整列し、スタッド７のチャンネルの各々は、孔９及びねじ孔１０と整列する。ねじ８が、二つのリング３，４を、外壁１及び内壁２の縁部に向かって保持する。
【０００９】
ガスケット１２が、壁１，２とリング３，４との間の環状スペースを水密にするために、上リング３と下リング４の間、及び内壁２と外壁１の間に設けられてもよい。
【００１０】
かくして実現された、外壁１または内壁２の少なくとも一部分が透明な囲まれた空間内には、切断され台座に取り付けられた金属ディスク、ハードストーンディスク、または貴石または準貴石で構成された一つまたはそれ以上の装飾要素１３が、配置されている。これらの装飾要素１３の寸法は、壁１，２及びリング３，４によって形成される囲まれた空間内で、嵌り込むことなく、自由に動くことができるようになっている。
【００１１】
上リング３及び下リング４の外面は、図示された例では、それぞれ切頭円錐リブ１４及び１５で構成される係合構造を表す。これらの係合構造１４，１５は、リング形状カバー１６，１７を上リング３及び下リング４に留めるのに役に立つ。これらのカバー１６，１７は、典型的に、金属、例えば金で作られる。これらのカバー１６，１７の外側は、任意の形状を有していてよく、光沢があってもよく、彫刻されまたは任意の他の方法で付加された模様を持っていてもよい。
【００１２】
この実施形態では、装飾要素１３を保持する環状の囲まれた空間は、スタッド７によって三つのセグメントに分割され、その中で、これらの装飾要素１３は、宝飾品に与えられた重力び運動の作用の下で自由に動くことができる。
【００１３】
これらの装飾要素１３の、外壁１及び／又は内壁２の少なくとも一部分が透明な前述の囲まれた空間内での可動性は、新しい魅力的なまたは意匠を凝らした審美的な効果を作り出す。
【００１４】
図１及び図２に示された例では、宝飾品はリングまたはブレスレットである。宝飾品が、ペンダント、イヤリング、またはブローチであるとき、図１及び図２を参照して記載された宝飾品は、チェーンを通すことができるリング、布に留めることができるピン、または耳たぶに固定することができるクリップのような、締結装置を備える。
【００１５】
図３に示す変形例では、宝飾品は、再び、少なくとも部分的に透明な外壁２０と、不透明または半透明な内壁２１と、壁２０，２１の間にリブ２３を有する二つの終端部品２２と、によって形成される、円形または多角形の、環状の囲まれた空間を有する。これらの終端部品２２は、壁２０，２１の縁部に接着され、または溶接され、かくして、図１及び図２を参照して述べたもののような装飾要素を保持する囲まれた空間２４の範囲を定めている。変形例として、スタッドが、壁２０，２１に終端部品２２を留めるのに使用されないので、装飾要素は、全ての囲まれた空間２４内で移動してもよい。
【００１６】
変形例では、終端部品２２のカバー１６，１７の形状は、変更してもよく、所望の審美的効果に応じて装飾を表してもよい。
【００１７】
内壁２，２１及び外壁１，２０は、宝飾品の軸線方向に必ずしも真っ直ぐである必要はなく、円筒または多角形であってもよい。
【００１８】
ほぼ環状体形状の宝飾品は、いくつかの区画に分割され、または分割されない囲まれた空間を有し、好ましくは台座に取り付けられた貴石または準貴石で構成される、少なくとも一つの装飾要素を保持し、装飾要素は、囲まれた空間内で、または相互に分離された囲まれた空間の一部分の中で自由に移動可能であることは、重要である。記載された例から分かるように、この囲まれた空間は、好ましくは、自身で閉じられ、ほぼリング形状をなしている。
【図面の簡単な説明】
【００１９】
【図１】本発明によるリングの斜視図である。
【図２】図１に示したリングの対称軸線を通る面に沿った断面図である。
【図３】本発明による宝飾品の変形例を示す、図２と同様の断面図である。
【符号の説明】
【００２０】
１，２０  外壁
２，２１  内壁
７  スタッド
１３  装飾要素
１４  上リング
１５  下リング
１６，１７  カバー
１８，２４  囲まれた空間
【図１】
2008043768.tif 000003
【図２】
2008043768.tif 000004
【図３】
2008043768.tif 000005